(57)【特許請求の範囲】
【請求項１】
放送局から使用者受信装置を有する複数の使用者へ、データ放送システムによって、データを提供する方法であって、
前記放送局において前記複数の使用者に対する使用者分類を取得するステップと、
前記放送局において予め決定されたデータ内容に対する内容分類を取得するステップと、
第１放送サービスによって、前記予め決定されたデータ内容を、前記複数の使用者受信装置へ放送するステップと、
第２放送サービスによって、正規のデータ内容を、前記複数の使用者受信装置へ放送するステップと、
使用者受信装置が前記正規のデータ内容の提供から前記予め決定されたデータ内容の提供へ自動的に切り替わるべきときを指示するための情報を、前記複数の使用者受信装置へ放送するステップと
を具備し、
前記使用者分類は、前記使用者の好みを示す第１の予め決定された組の基準に基づき、
前記内容分類は、前記予め決定されたデータ内容が向けられる前記使用者の好みを示す第２の予め決定された組の基準に基づき、
前記使用者受信装置は、データを受信しかつデータを前記使用者へ提供するように構成され、
前記情報は、前記使用者分類および前記内容分類に従って構成され、
前記第１放送サービスには、前記第２放送サービスより高い帯域幅が割り当てられる
ことを特徴とする方法。
【請求項２】
請求項１記載の方法において、
前記データ放送システムは、衛星放送システムからなる
ことを特徴とする方法。
【請求項３】
請求項１記載の方法において、
前記データ放送システムは、コンピュータネットワークからなる
ことを特徴とする方法。
【請求項４】
請求項１記載の方法において、
前記使用者受信装置は、テレビジョンセットトップ装置からなる
ことを特徴とする方法。
【請求項５】
請求項４記載の方法において、
前記予め決定されたデータ内容は、テレビジョン広告からなり、
前記正規のデータ内容は、正規に予定されたテレビジョンプログラムからなる
ことを特徴とする方法。
【請求項６】
請求項１記載の方法において、
前記使用者受信装置は、パーソナルコンピュータからなる
ことを特徴とする方法。
【請求項７】
請求項１記載の方法において、
前記受信装置が提供を自動的に切り替えるべきときを指示するための前記情報は、マッピング情報からなり、
前記マッピング情報は、前記受信装置が前記予め決定されたデータ内容の提供から正規のデータ内容の提供へ自動的に戻り変わるべきときを更に指示する
ことを特徴とする方法。
【請求項８】
請求項７記載の方法において、
前記マッピング情報は、
前記正規のデータ内容の提供から前記予め決定されたデータ内容の提供へ第１の予め決定された時刻に自動的に切り替わることを、第１の使用者分類に分類された使用者の前記使用者受信装置に指示し、かつ、
前記正規のデータ内容の提供から前記予め決定されたデータ内容の提供へ第２の予め決定された時刻に自動的に切り替わることを、第２の使用者分類に分類された使用者の前記使用者受信装置に指示する
ことを特徴とする方法。
【請求項９】
請求項１記載の方法において、
前記第１の予め決定された組の基準は、使用者年齢と好ましい言語とからなる
ことを特徴とする方法。
【請求項１０】
請求項１記載の方法において、
前記第２の予め決定された組の基準は、望ましい使用者の年齢と前記予め決定されたデータ内容が時間的に合わせられるべき正規のデータ内容形式とからなる
ことを特徴とする方法。
【請求項１１】
請求項１記載の方法において、
前記第１の予め決定された組の基準は、前記第２の予め決定された組の基準と実質上同じである
ことを特徴とする方法。
【請求項１２】
放送局から使用者受信装置を有する複数の使用者へ、データ放送システムによって、データを提供するシステムであって、
前記放送局において前記複数の使用者に対する使用者分類を取得する手段と、
前記放送局において予め決定されたデータ内容に対する内容分類を取得する手段と、
第１放送サービスによって、前記予め決定されたデータ内容を、前記複数の使用者受信装置へ放送する手段と、
第２放送サービスによって、正規のデータ内容を、前記複数の使用者受信装置へ放送する手段と、
使用者受信装置が前記正規のデータ内容の提供から前記予め決定されたデータ内容の提供へ自動的に切り替わるべきときを指示するための情報を、前記複数の使用者受信装置へ放送する手段と
を具備し、
前記使用者分類は、前記使用者の好みを示す第１の予め決定された組の基準に基づき、
前記内容分類は、前記予め決定されたデータ内容が向けられる前記使用者の好みを示す第２の予め決定された組の基準に基づき、
前記使用者受信装置は、データを受信しかつデータを前記使用者へ提供するように構成され、
前記指示するための情報は、前記使用者分類および前記内容分類に従って構成され、
前記第１放送サービスによって、前記予め決定されたデータ内容を、前記複数の使用者受信装置へ放送する手段は、前記第２放送サービスより高い帯域幅が割り当てられた前記第１放送サービスによって、前記予め決定されたデータ内容を放送するように構成される
ことを特徴とするシステム。
【請求項１３】
請求項１２記載のシステムにおいて、
前記データ放送システムは、衛星放送システムからなる
ことを特徴とするシステム。
【請求項１４】
請求項１２記載のシステムにおいて、
前記データ放送システムは、コンピュータネットワークからなる
ことを特徴とするシステム。
【請求項１５】
請求項１２記載のシステムにおいて、
前記使用者受信装置は、テレビジョンセットトップ装置からなる
ことを特徴とするシステム。
【請求項１６】
請求項１５記載のシステムにおいて、
前記予め決定されたデータ内容は、テレビジョン広告からなり、
前記正規のデータ内容は、正規に予定されたテレビジョンプログラムからなる
ことを特徴とするシステム。
【請求項１７】
請求項１２記載のシステムにおいて、
前記使用者受信装置は、パーソナルコンピュータからなる
ことを特徴とするシステム。
【請求項１８】
請求項１２記載のシステムにおいて、
前記受信装置が提供を自動的に切り替えるべきときを指示するための前記情報は、マッピング情報からなり、
前記マッピング情報は、前記受信装置が前記予め決定されたデータ内容の提供から正規のデータ内容の提供へ自動的に戻り変わるべきときを更に指示する
ことを特徴とするシステム。
【請求項１９】
請求項１８記載のシステムにおいて、
前記マッピング情報は、
前記正規のデータ内容の提供から前記予め決定されたデータ内容の提供へ第１の予め決定された時刻に自動的に切り替わることを、第１の使用者分類に分類された使用者の前記使用者受信装置に指示し、かつ、
前記正規のデータ内容の提供から前記予め決定されたデータ内容の提供へ第２の予め決定された時刻に自動的に切り替わることを、第２の使用者分類に分類された使用者の前記使用者受信装置に指示する
ことを特徴とするシステム。
【請求項２０】
請求項１２記載のシステムにおいて、
前記第１の予め決定された組の基準は、使用者年齢と地理的位置とからなる
ことを特徴とするシステム。
【請求項２１】
請求項１２記載のシステムにおいて、
前記第２の予め決定された組の基準は、望ましい使用者の年齢と前記予め決定されたデータ内容が時間的に合わせられるべき正規のデータ内容形式とからなる
ことを特徴とするシステム。
【請求項２２】
請求項１２記載のシステムにおいて、
前記第１の予め決定された組の基準は、前記第２の予め決定された組の基準と実質上同じである
ことを特徴とするシステム。
【請求項２３】
放送局からテレビジョンセットトップ装置を有する複数の視聴者へ、衛星放送システムによって、テレビジョンプログラムを提供する方法であって、
前記放送局において前記複数のテレビジョン視聴者に対する視聴者分類を取得するステップと、
前記放送局において予め決定されたプログラム内容に対する内容分類を取得するステップと、
第１衛星送信サービスによって、前記予め決定されたプログラム内容を、前記複数のテレビジョン視聴者セットトップ装置へ放送するステップと、
第２衛星送信サービスによって、正規に予定されたプログラムテレビジョン内容を、前記複数の視聴者セットトップ装置へ放送するステップと、
前記セットトップ装置が前記正規に予定されたプログラムテレビジョン内容から前記予め決定されたプログラム内容へ自動的に同調するべきときと、前記セットトップ装置が前記予め決定されたプログラム内容から前記正規に予定されたプログラムテレビジョン内容へ自動的に同調し戻るべきときとを指示するためのマッピング情報を、前記複数の視聴者セットトップ装置へ放送するステップと
を具備し、
前記視聴者分類は、前記視聴者の好みを示す第１の予め決定された組の基準に基づき、
前記内容分類は、前記予め決定されたプログラム内容が向けられる前記視聴者の好みを示す第２の予め決定された組の基準に基づき、
前記マッピング情報は、前記視聴者分類および前記内容分類に従って構成され、
前記予め決定されたプログラム内容は、前記第２衛星送信サービスより高い帯域幅が割り当てられた前記第１衛星送信サービスによって放送され、
前記予め決定されたプログラム内容は、テレビジョン広告からなる
ことを特徴とする方法。
【請求項２４】
放送局からテレビジョンセットトップ装置を有する複数の視聴者へ、衛星放送システムによって、テレビジョンプログラムを提供する方法であって、
前記放送局において前記複数のテレビジョン視聴者に対する視聴者分類を取得するステップと、
前記放送局において予め決定されたプログラム内容に対する内容分類を取得するステップと、
第１衛星送信サービスによって、前記予め決定されたプログラム内容を、前記複数のテレビジョン視聴者セットトップ装置へ放送するステップと、
第２衛星送信サービスによって、正規に予定されたプログラムテレビジョン内容を、前記複数の視聴者セットトップ装置へ放送するステップと、
前記セットトップ装置が前記正規に予定されたプログラムテレビジョン内容から前記予め決定されたプログラム内容へ自動的に同調するべきときと、前記セットトップ装置が前記予め決定されたプログラム内容から前記正規に予定されたプログラムテレビジョン内容へ自動的に同調し戻るべきときとを指示するためのマッピング情報を、前記複数の視聴者セットトップ装置へ放送するステップと
を具備し、
前記視聴者分類は、前記視聴者の好みを示す第１の予め決定された組の基準に基づき、
前記内容分類は、前記予め決定されたプログラム内容が向けられる前記視聴者の好みを示す第２の予め決定された組の基準に基づき、
前記マッピング情報は、前記視聴者分類および前記内容分類に従って構成され、
前記予め決定されたプログラム内容は、前記第２衛星送信サービスより高い帯域幅が割り当てられた前記第１衛星送信サービスによって放送され、
前記第１の予め決定された組の基準は、前記第２の予め決定された組の基準と実質上同じである
ことを特徴とする方法。
【請求項２５】
放送局からテレビジョンセットトップ装置を有する複数の視聴者へ、衛星放送システムによって、テレビジョンプログラムを提供する装置であって、
前記放送局において前記複数のテレビジョン視聴者に対する視聴者分類を取得する手段と、
前記放送局において予め決定されたプログラム内容に対する内容分類を取得する手段と、
第１衛星送信サービスによって、前記予め決定されたプログラム内容を、前記複数のテレビジョン視聴者セットトップ装置へ放送する手段と、
第２衛星送信サービスによって、正規に予定されたプログラムテレビジョン内容を、前記複数の視聴者セットトップ装置へ放送する手段と、
前記セットトップ装置が前記正規に予定されたプログラムテレビジョン内容から前記予め決定されたプログラム内容へ自動的に同調するべきときと、前記セットトップ装置が前記予め決定されたプログラム内容から前記正規に予定されたプログラムテレビジョン内容へ自動的に同調し戻るべきときとを指示するためのマッピング情報を、前記複数の視聴者セットトップ装置へ放送する手段と
を具備し、
前記視聴者分類は、前記視聴者の好みを示す第１の予め決定された組の基準に基づき、
前記内容分類は、前記予め決定されたプログラム内容が向けられる前記視聴者の好みを示す第２の予め決定された組の基準に基づき、
前記マッピング情報は、前記視聴者分類および前記内容分類に従って構成され、
前記第１衛星送信サービスによって、前記予め決定されたプログラム内容を、前記複数のテレビジョン視聴者セットトップ装置へ放送する手段は、前記第２衛星送信サービスより高い帯域幅が割り当てられた前記第１衛星送信サービスによって、前記予め決定されたプログラム内容を放送するように構成され、
前記予め決定されたプログラム内容は、テレビジョン広告からなる
ことを特徴とする装置。
【請求項２６】
放送局からテレビジョンセットトップ装置を有する複数の視聴者へ、衛星放送システムによって、テレビジョンプログラムを提供する装置であって、
前記放送局において前記複数のテレビジョン視聴者に対する視聴者分類を取得する手段と、
前記放送局において予め決定されたプログラム内容に対する内容分類を取得する手段と、
第１衛星送信サービスによって、前記予め決定されたプログラム内容を、前記複数のテレビジョン視聴者セットトップ装置へ放送する手段と、
第２衛星送信サービスによって、正規に予定されたプログラムテレビジョン内容を、前記複数の視聴者セットトップ装置へ放送する手段と、
前記セットトップ装置が前記正規に予定されたプログラムテレビジョン内容から前記予め決定されたプログラム内容へ自動的に同調するべきときと、前記セットトップ装置が前記予め決定されたプログラム内容から前記正規に予定されたプログラムテレビジョン内容へ自動的に同調し戻るべきときとを指示するためのマッピング情報を、前記複数の視聴者セットトップ装置へ放送する手段と
を具備し、
前記視聴者分類は、前記視聴者の好みを示す第１の予め決定された組の基準に基づき、
前記内容分類は、前記予め決定されたプログラム内容が向けられる前記視聴者の好みを示す第２の予め決定された組の基準に基づき、
前記マッピング情報は、前記視聴者分類および前記内容分類に従って構成され、
前記第１衛星送信サービスによって、前記予め決定されたプログラム内容を、前記複数のテレビジョン視聴者セットトップ装置へ放送する手段は、前記第２衛星送信サービスより高い帯域幅が割り当てられた前記第１衛星送信サービスによって、前記予め決定されたプログラム内容を放送するように構成され、
前記第１の予め決定された組の基準は、前記第２の予め決定された組の基準と実質上同じである
ことを特徴とする装置。
【請求項２７】
放送局から使用者受信装置を有する複数の使用者へ、データ放送システムによって、データを提供する方法であって、
前記放送局において予め決定されたデータ内容に対する内容分類を取得するステップと、
第１放送サービスによって、前記予め決定されたデータ内容を、前記複数の使用者受信装置へ放送するステップと、
第２放送サービスによって、正規のデータ内容を、前記複数の使用者受信装置へ放送するステップと、
前記使用者受信装置が前記正規のデータ内容の提供から前記予め決定されたデータ内容の提供へ自動的に切り替わるべきときと、前記使用者受信装置が前記予め決定されたデータ内容から前記正規のデータ内容へ自動的に戻り替わるべきときとを指示するための情報を、前記複数の使用者受信装置へ放送するステップと
を具備し、
前記内容分類は、前記予め決定されたデータ内容が向けられる使用者の好みを示す予め決定された組の基準に基づき、
前記使用者受信装置は、データを受信しかつデータを前記使用者へ提供するように構成され、
前記情報は、前記内容分類に従って構成され、
前記予め決定されたデータ内容は、前記第２放送サービスより高い帯域幅が割り当てられた前記第１放送サービスによって放送される
ことを特徴とする方法。
【請求項２８】
請求項２７記載の方法において、
前記データ放送システムは、衛星放送システムからなる
ことを特徴とする方法。
【請求項２９】
請求項２７記載の方法において、
前記使用者受信装置は、テレビジョンセットトップ装置からなる
ことを特徴とする方法。
【請求項３０】
請求項２７記載の方法において、
前記予め決定されたデータ内容は、テレビジョン広告からなり、
前記正規のデータ内容は、正規に予定されたテレビジョンプログラムからなる
ことを特徴とする方法。
【請求項３１】
請求項２７記載の方法において、
前記指示するための情報は、
前記正規のデータ内容の提供から前記予め決定されたデータ内容の提供へ第１の予め決定された時刻に自動的に切り替わることを、第１の使用者分類に分類された使用者の前記使用者受信装置に指示し、かつ、
前記正規のデータ内容の提供から前記予め決定されたデータ内容の提供へ第２の予め決定された時刻に自動的に切り替わることを、第２の使用者分類に分類された使用者の前記使用者受信装置に指示する
ことを特徴とする方法。
【請求項３２】
使用者受信装置を有する複数の使用者へ、データ放送システムによって、限定されたデータを提供する方法であって、
第１放送サービスによって、前記予め決定されたデータ内容を、前記複数の使用者受信装置へ放送するステップと、
複数の放送サービスによって、正規のデータ内容を、前記複数の使用者受信装置へ放送するステップと、
前記使用者受信装置が前記複数の放送サービスからの前記正規のデータ内容の提供から前記第１放送サービスからの前記予め決定されたデータ内容の提供へ自動的に切り替わるべきときと、前記使用者受信装置が前記予め決定されたデータ内容から前記複数の放送サービスからの前記正規のデータ内容の提供へ自動的に戻り替わるべきときとを指示するための情報を、前記複数の使用者受信装置へ放送するステップと
を具備し、
前記使用者受信装置は、データを受信しかつデータを前記使用者へ提供するように構成され、
前記複数の放送サービスは、前記第１放送サービスから分離されかつ区別され、
前記分離されかつ区別された複数の放送サービスより高い帯域幅が割り当てられた前記第１放送サービスによって前記予め決定されたデータ内容を放送するステップをさらに具備する
ことを特徴とする方法。
【請求項３３】
請求項３２記載の方法において、
前記データ放送システムは、衛星放送システムからなる
ことを特徴とする方法。
【請求項３４】
請求項３２記載の方法において、
前記予め決定されたデータ内容は、テレビジョン広告からなり、
前記正規のデータ内容は、正規に予定されたテレビジョンプログラムからなる
ことを特徴とする方法。
【請求項３５】
請求項３２記載の方法において、
前記指示するための情報は、
前記正規のデータ内容の提供から前記予め決定されたデータ内容の提供へ第１の予め決定された時刻に自動的に切り替わることを、第１の使用者分類に分類された使用者の前記使用者受信装置に指示し、かつ、
前記正規のデータ内容の提供から前記予め決定されたデータ内容の提供へ第２の予め決定された時刻に自動的に切り替わることを、第２の使用者分類に分類された使用者の前記使用者受信装置に指示する
ことを特徴とする方法。
【発明の詳細な説明】
発明の背景
技術分野
この発明は、データ放送システムを介したデータの送信および提供に関するものである。さらに詳細には、この発明は、データ放送システムを介して特定の標的とされた視聴者への特別なデータの送信を調整する方法および装置に関するものである。
関連技術の検討
社会は、数的にも地理的にもその大きさを広げ、かつ、技術的により進歩してきたので、多量のデータおよび情報を多くの視聴者に効率的に送信および提供することがますます必要になってきた。この必要性が特に激しくなってきた、１つの実例としての領域はテレビのプログラムにある。
テレビ鑑賞は、世間一般の行動であり、テレビのプログラムは、種々の形態で、ケーブル、電話、多チャネルマイクロ波分配システム（ＭＭＤＳ）および空中放送、共同の陸上放送方法、並びに衛星のような、種々の放送方法を介して送られる。衛星放送は、多くの手法において、他の送信方法とは異なっており、その内の１つは、衛星信号が、例えば、ローカルなケーブルテレビシステムのオペレータまたは放送局から発せられるプログラム信号よりもずっと広い地理的領域に到達するということである。したがって、ローカルなケーブルテレビのオペレータは、比較的小さい地域社会に対してテレビサービスを提供するが、衛星テレビシステムのオペレータは、概して、全体的な地理的領域にサービスを提供することができる。
これらの放送方法は、概して、テレビプログラムの提供者およびデータの提供者に、単一のデータ送信を介して多くの視聴者に到達することを可能にするが、そのような方法の使用に関連していくつかの不都合が存在する。陸上放送方法の不都合は、局所的な地理により画定された特定の視聴者を標的としてテレビプログラムおよび他のデータが送られ得るけれども、例えば、彼らの民族的な背景または鑑賞の好みによっては特定の視聴者を標的とすることはできない。衛星放送は、この点においてはより不都合でさえある。なぜなら、任意の手段によって画定された特定の視聴者を標的として、テレビのプログラムおよび他のデータを送ることができず、また、局所的な地理を標的とするために必要な帯域は、衛星送信を使用してコストが高くつくことになるからである。
これらの不都合は、テレビ広告の領域において理解され易い。陸上テレビ放送システムを使用すると、広告者は、テレビを介した広告をその局所的な活動地域に制限することができるだけである。衛星放送を使用すると、同じ広告者は、より一層抑制される。なぜなら、衛星広告者に対して効果的に利用可能なこれまでで最も細かい細分性は、ニューヨーク市のような単一の大都市地域だったからである。したがって、テレビ鑑賞の視聴者は、数および地理の両方において広がっているので、特定の標的とされた視聴者に到達することを望む広告者は、所望の視聴者のみを標的にできないことに気がつく。選択された視聴者への標的をしぼった広告方法がなければ、広告者が望むいかなるレベルの細分性も、局所的な地理的視聴者へ到達するために、局所的な放送および他の陸上システムを使用することに限定される。
効果的かつ実際的なテレビ放送システムの使用に対する追加の障害は、広告プログラムのような一定のデータが、正規のデータ内容またはプログラムよりも高い帯域幅または高いデータ送信速度を必要とするということである。広告プログラムでは、広告の音声および映像品質は、通常、正規のテレビプログラムのものよりも、テレビ産業において重要視されているからである。
これまで、放送システムオペレータにより提供された帯域幅内における動的かつ非効率な調節、正規のデータ内容および限定されたデータ内容の両方のためのより高い帯域幅の一定した使用、または、正規のデータ内容のために需要可能な低い帯域幅の一定した使用のいずれかが必要であった。第１の場合には、必要とされる追加の帯域幅が、存在する他のサービスから取り除かれ、それによって、その性能が劣化され、第２の場合には、正規のデータ内容において過度の帯域幅が浪費され、第３の場合には、限定されたデータ内容の品質が悪くなった。
発明の概要
この発明は、放送システムオペレータが、限定されたデータ、例えば広告プログラムを予め選択された視聴者へ標的をしぼって送るためのシステムおよび方法を提供することにより、上述した不都合に取り組んでいる。この発明は、さらに、限定されたデータを効率的かつ費用効果のよい方法で送信すると同時に、より高い帯域幅またはより高いデータ速度に対する要求を満足するシステムおよび方法を放送システムオペレータに提供する。
この発明の一例としての態様によれば、複数のデータ使用者に対して使用者分類が得られる。これらの使用者分類は、データ使用者の好みを示す所定の組の基準に基づいている。所定のデータ内容についての分類も得られる。これらの分類は、当該所定のデータ内容が送られる使用者の好みを示す、第１組の基準と同じ（同じである必要はない）第２の所定の組の基準に基づいている。
使用者および所定のデータ内容の分類が一旦得られると、所定のデータ内容および正規のデータ内容が複数の使用者受信装置に、別々の放送サービスを介して放送される。使用者受信装置は、使用者へのデータを受信しかつ提供するように構成されている。ユーザ受信装置が、いつ前記正規のデータ内容の提供から前記所定のデータ内容の提供へ、またはその逆に自動的に切り換えようとするのかを示す手段も、複数の使用者受信装置に放送される。この手段は、使用者分類および内容分類に従って構成されている。
この発明の他の例としての態様においては、所定のデータ内容および正規のデータ内容が別々の放送サービスを介して送信される前には、使用者分類は複数の使用者に対して得られない。この発明のこの態様においては、使用者受信装置が、いつデータ内容の提供から所定データ内容の提供へ、またはその逆に自動的に切り換えようとするのかを示す手段は、内容分類のみに従って構成されている。
さらに、この発明の他の例としての態様においては、使用者分類も内容分類も、所定データ内容および正規データ内容の別々の放送サービスを介した放送前には得られない。この発明のこの態様においては、使用者受信装置が、いつデータ内容の提供から所定データ内容の提供へ、またはその逆へ自動的に切り換えようとするのかを示す手段は、例えば、所定のデータ内容の創作者の要求を含む所定の基準に従ってシステムオペレータにより構成されている。
さらに、この発明の他の例としての態様においては、視聴者の分類が複数のテレビ視聴者に対して得られる。これらの視聴者分類は、視聴者の鑑賞の好みを示す所定の組の基準に基づいており、かつ、実例として、年齢、性別、視聴者の好ましい言語を含んでいてもよい。広告のような所定のプログラムの内容に対する分類も得られる。これらの分類は、視聴者の好みを示す所定の組の基準にも基づいており、かつ、概して、前記広告内容が送られるテレビ視聴者の視聴者分類を示している。
視聴者およびプログラム内容分類が一旦得られたならば、広告のような所定のプログラム内容および正規のテレビプログラムの内容が多数のテレビ視聴者受信装置に別々の送信サービスを介して送信される。新規のマッピングテーブルも視聴者受信装置に送信される。このマッピングテーブルは、個々の受信装置が、いつ正規のテレビのプログラムの内容から、広告のような所定のプログラム内容へ、自動的に同調されるのかを示す。このマッピングテーブルは、各視聴者が該視聴者分類に実質的に合致する所定のプログラムの内容を視聴するように、視聴者分類および所定のプログラム内容分類に従って構成されている。
【図面の簡単な説明】
この発明の特徴および利点は、添付図面と組み合わせて記載された以下の詳細な説明を参照することにより、より良好に理解される。
図１は、一例としてのデータ放送システムである衛星テレビシステムのための視聴環境を示している。
図２は、正規のテレビのプログラムチャネルにおける正規に予定されたプログラムの視聴者に、広告内容を提供するための別個の広告チャネルの使用を示している。
図３は、広告マッッピングテーブルを確立するための、一例としての、ディジタルビデオ放送構文を示している。
発明の詳細な説明
この発明の以下の実施形態は、衛星テレビ放送システムに関係して説明され、さらに詳細には、衛星テレビ視聴者への広告の放送に関係して説明される。この発明の以下の実施形態は、ディジタルビデオ放送「ＤＶＢ」標準に関係しても説明されることになる。しかしながら、当業者であれば、開示された方法及び構造が、より広いアプリケーションに容易く適用することができることがわかる。さらに、この明細書に開示された新規の方法および構造が、任意の形式のデータ放送システムを介した任意の形式の使用者受信装置への任意の形式のデータ送信による使用に容易く適合され得ることもわかる。
図１は、一例としてのデータ放送システム、特に、衛星テレビ放送システムのための視聴環境を開示している。図１に示されるように、衛星テレビ放送システムのための視聴環境は、通常は、衛星テレビシステムオペレータ１００、衛星１０２、衛星受信器１０４、テレビ１０６、衛星インタフェースユニット１０８，衛星インタフェース装置遠隔制御器１１０および視聴者１１２を含んでいる。衛星インタフェースユニット１０８は、当業者に公知であり、一般に、テレビの上に置く装置の形態をしている。一例としてのそのような上置き式装置は、現代電子アメリカ製のイルデト（Irdeto）ディジタルビデオ放送衛星一体型受信器／デコーダである。衛星インタフェースユニット１０８は、テレビ１０６および衛星受信器１０４間でそれらに接続されている。衛星受信器１０４は、遠隔の衛星１０２からのテレビ信号および他の信号を受信し、これらの信号をインタフェースユニット１０８に送る。インタフェースユニット１０８は、その後、しばしばテレビプログラムの形態で、テレビ１０６上に表示する。
インタフェースユニット１０８は、テレビプログラムの伸長（decompression）または符号化／復号化のような追加の機能を実行してもよく、１以上の取り外し可能および／または取り外しできない電子式記憶手段を含んでいてもよい。インタフェースユニット１０８は、インタフェースユニット遠隔制御器１１０からテレビのチャネルを変更するような視聴者の指令を受け入れる手段をも含んでいる。しかしながら、遠隔制御器１１０は、単に、視聴者１１２がインタフェースユニット１０８に指令を入力するための一手段に過ぎない。例えば、視聴者１１２は、指令を上置き式装置１０８に直接入力してもよい。さらに、上置き式装置１０８は、電子プログラムガイド「ＥＰＧ」を表示するための手段を含んでいてもよい。ＥＰＧは当業者に公知である。そのようなＥＰＧが提供される場合には、視聴者はＥＰＧを使用して上置き式装置に指令を入力してもよい。
一例としてのこの発明の実施形態によれば、システムおよび方法が、図１に示された視聴環境を使用して、限定されたプログラムを予め選択された視聴者に標的をしぼって送るために提供される。しかしながら、上述したように、この例としての実施形態は、放送されるべき限定されたプログラムのような広告に関係して記載されているが、当業者であれば、ここに記載された、限定されたプログラムの内容が任意の形態の情報またはデータでよく、この発明の範囲を超えないということを認識できる。さらに、限定されたプログラムの内容は例示的に、特定のインターネットウェブサイト、特定の正規のテレビプログラムまたは特定言語によるニュースのような特定の限定された正規のテレビプログラムのサブセットからの情報でもよい。
さらに、この例示としての実施形態は、衛星テレビシステムに関係して説明され、データ放送システムは衛星である必要はなく、ユーザーインタフェースユニットはテレビの上置き式装置およびテレビである必要はない。したがって、例えば、新規な方法および装置は、ケーブルシステム、ＭＭＤＳシステムまたはコンピュータネットワークのような任意の数の異なる放送システムとともに使用されてもよく、コンピュータワークステーション、コンピュータ端末またはパーソナルコンピュータのような任意の数の異なるユーザーインタフェースユニットとともに使用されてもよい。
ここで、図１に示された例としての実施形態に戻ると、衛星テレビシステムのオペレータ１００は、第１に、視聴人口における各視聴者を、例えば、その視聴の好みに基づいて分類しまたは分類を得る。考え得る好みの基準は、例として、他にもあるが、視聴者が最も頻繁にテレビを見る時刻；年齢、性別、好ましい言語、または視聴者の経済的な階級；視聴者のライフスタイル（例えば、特定のレジャー活動、趣味、または旅行）；または正規の、または視聴者の好ましいプログラム形式（例えば、スポーツ、映画、または子供番組）を含んでいる。
さらに、他の考え得る基準は、視聴者の地理的位置である。しかしながら、この分類方法は、多数の局所的な地理的領域を衛星送信によって標的をしぼることが、増大した衛星の帯域幅の要求の形態で費用的なペナルティを含むことになるので、広い地理的領域または地域に標的をしぼるときに衛星システムにおいて特に有用である。
この発明の実施形態において、視聴者の好みを得る１つの手段は、視聴者に予め定められた選択基準の中から選択肢を提供するようにシステムのオペレータ１００がインタフェースユニット１０８をプログラムし、インタフェースユニット１０８がそれを提供する手続を介することである。視聴者１１２は、最も望ましいまたは最も適切なそれらの選択肢を、遠隔制御器１１０を用いて選択する。視聴者１１２が一旦望ましい基準を選択したならば、この情報は、後の使用のためにインタフェースユニット１０８内に記憶され、または、これに代えて、例えば、モデムによって衛星テレビシステムオペレータ１００に送られる。もちろん、全ての視聴者が選択基準を入力することを選択しなくてもよい。したがって、これらの視聴者に対しては、デフォルト値がオペレータ１００によって割り当てられてもよい。
視聴者の好みを獲得するための他の受容可能な方法は、視聴者の視聴している活動を監視し、視聴者の好みのプログラムのカテゴリーを判断することである。そのような方法は、１９９６年１１月１５日に出願され、「テレビ視聴者のプロファイル生成方法および装置」と題された米国特許出願に開示されており、その内容が参照によりこの明細書に組み入れられている。
上述されたように、視聴者の好みはインタフェースユニット１０８に記憶されてもよい。さらに詳細には、その好みは、ＥＰＲＯＭ、ＥＥＰＲＯＭ、フラッシュメモリ、またはスマートカード等を含むインタフェースユニット１０８内の周知の不揮発性メモリ内に記憶されてもよい。もちろん、インタフェースユニット１０８は、１以上の視聴者の好みを記憶することができる。したがって、特定の視聴者が衛星テレビ放送を観ているときに、広告のような限定されたプログラム内容が個別の視聴者のために同調され得る。当業者であれば、上述された手順は、視聴者がその好みを変更または除去することを許容する手段を含んでいてもよいことがわかる。
全体的な視聴人口が、例えば、それらの視聴の好みに基づいて一旦分類されたならば、限定されたプログラム内容も同様に分類されなければならない。この分類は、広告者のようなプログラム内容の創作者が標的をしぼっている意図している視聴者に対して効果があり、オペレータ１００にその分類を送る広告者、または、例えば、広告者の入力または要望に基づいてオペレータ１００のいずれかによって行われてもよい。限定されたプログラム内容に対する考え得る分類基準は、例えば、視聴者の好みを分類するために使用されたものと同じ基準を含んでいる。例えば、一定の広告は、プライムタイムのニュースプログラムと組み合わせて視聴するように設計されてもよい。他には、年輩者、特定の言語を話す視聴者または特定の経済的な階級の視聴者に標的がしぼられてもよい。しかしながら、視聴者および限定されたプログラム内容を分類するための基準は、同じ基準である必要はなく、その場合には、各グループに対して異なる基準が、単に他のグループに対する対応する基準に合致されまたはマップされる必要がある。
例えば、広告内容に対するそのような分類は、当業者に周知であり、広告のインパクトを最大化するために行われる。しかしながら、ここに説明されているように、この発明の一側面は、視聴者の好み並びに限定されたプログラム内容の対応する分類によって、限定されたプログラム内容の適当な視聴者へのマッピングにおける、より細かい細分性を可能にし、それによって、そのプログラム内容に最大の興味を持たせて視聴者に届けることである。
この発明によれば、視聴人口が一旦分類され、かつ、限定されたプログラム内容も同様に分類されたならば、テレビのショー番組、スポーツの試合および映画のような正規に予定されたテレビ内容が、送信のために、限定されたプログラム内容から分離される。さらに詳細には、限定されたプログラム内容は、正規に予定されたプログラム内容とは別の衛星送信チャネル上の視聴者衛星受信器１０４に送信される（この内容において、「チャネル」は、例えば、欧州遠距離通信標準機関（ＥＴＳＩ）により発行されたディジタル映像放送（ＤＶＢ）標準内において定義されたような単一のディジタルサービスのことを言っている。）したがって、予め予定された時刻において、以下に詳細に説明されるように、選択されたインタフェースユニット１０８は、限定されたプログラム内容の細分された受信を可能にするように、限定されたプログラムチャネルに都合よく同調され得る。
別の限定されたチャネルのこの新規の使用は、種々の理由から有利である。例えば、広告のような限定されたプログラム内容に別のチャネルを単独で振り向けることにより、衛星システムのオペレータ１００は、そのような限定されたプログラムの全てに対してより高い帯域幅を割り当てることができ、そのような題材が放送されようとするときはいつでも、帯域幅の動的再割当てに関連する問題を回避することができる。
さらに、必ずしも全てが同じチャネルに同調されてはいない多数のインタフェースユニット１０８は、限定されたプログラムチャネルに同時に同調されてもよい。この性能は、例えば、同じ広告が多数のチャネルを介して放送される必要がないときに、帯域幅の利用における明白な効率につながる。さらに、当業者であれば、専用の広告チャネルのこの効率的な使用により解放される放送帯域幅が、多数の未使用チャネルを介した便乗データの送信により追加の収益を発生させるように、衛星システムのオペレータ１００によって利用されてもよいことがわかる。例えば、帯域幅は、電子メールまたはソフトウェアのような時間に関係しないデータを視聴者に送るために使用されてもよい。解放された帯域幅は、選択された顧客が選択された視聴者にデータを送るように、該顧客に、衛星システムのオペレータ１００によって提供されてもよい。
システムの同期
この発明によるこの新規なシステムおよび方法の実施は、内容のスケジューリングをさらに洗練させることはもちろん、オペレータシステムレベルにおける同期をも要求している。例えば、オペレータは、上述したように、標的にされた視聴者に基づく全ての限定されたプログラム内容を分類し、またはその分類を得てもよい。このタスクは、限定されたプログラムが１以上のカテゴリーに属する可能性があるという事実により一層困難にされる（そのような例の一つは、プライムタイムにおいて、ドイツ語を話す子供を標的にした広告がある）。オペレータは、上述したように、視聴している視聴者を分類する。
視聴している視聴者および限定されたプログラム内容を分類することに加えて、各限定されたプログラムを送る時刻が決定されなければならず、かつ、限定されたプログラムは、１つまたは複数の適当な専用チャネルを介して所定の時刻に送信するためにスケジューリングされなければならない。限定されたプログラムが、所望の送信時刻により分類されるときには、スケジューリングは、容易に決定される。しかしながら、限定されたプログラムが、言語やライフスタイルのような他の基準に基づいて分類されたときには、オペレータ１００による決定はさらに困難である。
限定されたプログラムが、視聴者の特定のカテゴリーまたはグループへの送信のために、一旦スケジューリングされたならば、これらの視聴者のインタフェースユニット１０８は、正確な時刻に、適当な限定されたチャネルに自動的に同調するように指示されなければならない。このことは、サービス情報およびプログラム特定情報の、予め予定された時刻におけるインタフェースユニット１０８への送信を必要としている。当業者であれば、サービスおよびプログラム特定情報がＤＶＢ標準において定義され、送信された実際のプログラムに関連するスケジュールおよびサービス情報を提供することがわかる。例えば、インタフェースユニット１０８がＥＰＧを表示するために必要とする情報は、サービスおよびプログラム特定情報を介して送信され得る。サービス情報およびプログラム特定情報により提供された情報は、インタフェースユニット１０８に、専用の限定されたプログラムチャネルへ、またはそのチャネルから、正確に変更させるために必要である。さらに、１つまたは複数の限定されたプログラムチャネルに対して視聴者の好み、限定されたプログラムの中断の時刻および期間をマッピングする情報を含むマッピングテーブルが、インタフェースユニットに供給されなければならない。これらの新規なマッピングテーブルは、以下に詳細に説明される。
さらに、正規のプログラムチャネルにおいて正規に予定されたテレビプログラムの送信は、予定されている限定されたプログラムの限定されたプログラムチャネルにおける送信に関連した停止および開始に同期されなければならず、かつ、正規のテレビプログラムチャネルを介した便乗データの送信は、限定されたプログラムの送信の開始および停止に同期されなければならない。
最後に、当業者であれば、インタフェースユニット１０８には、放送された情報、プログラム特定情報およびマッピングテーブル内に含まれる情報を受信し、翻訳し、それに基づいて行動するための適当なハードウェアおよびソフトウェアが設けられていなければならないことがわかる。
図２は、この発明による、広告と正規に予定されたテレビプログラムとの同期を例示的に示している。図２に示されるように、広告チャネル２００は、言語により分類された広告を送る。正規に予定されたテレビプログラムも、実例として言語によりグループ化された多数のチャネルを介して送られる。スペイン語チャネルＳ１〜Ｓ５（集合的にスペイン語チャネル２０２）は、スペイン語のプログラムを搬送し、英語チャネルＥ１〜Ｅ５（集合的に英語チャネル２０４）は、英語のプログラムを搬送する。しかしながら、これらのチャンネルは連続的に番号を付けられている必要はなく、ネットワーク中に物理的に一緒に配置されている必要もないことを特筆しておく。これに代えて、ここに開示されている新規なシステムおよび方法を実行するために、グループ化がより高い階層に構成されてもよい。
第１の予め予定された時刻２１０において、スペイン語チャネル２０２に同調された視聴者のためのインタフェースユニットは、自動的に広告チャネル２００に同調される。スペイン語チャネル２０２に同調された全てのインタフェースユニットの広告チャネル２００への集合的な同調は、図２に、矢印２０６により示されている。第２の予め予定された時刻２１２において、同じインタフェースユニットは、第１の予め予定された時刻２１２の前に同調されていたスペイン語チャネル２０２の各チャネルに自動的に同調し戻され、中断されたプログラムの復号を再開する。スペイン語チャネル２０２の適当なスペイン語チャネルにインタフェースユニットを集合的に同調し戻すことは、図２に矢印２０７により示されている。第３の予め予定された時刻２１４において、英語チャネル２１４に同調されていた視聴者のためのインタフェースユニットは、自動的に広告ユニットに同調される。英語チャネル２０４に同調された全てのインタフェースユニットの広告チャネル２００への集合的な同調は、図２に矢印２０８により示されている。第４の予め予定された時刻２１６において、同じインタフェースユニットが、第３の予め予定された時刻２１４の前に同調されていた英語チャネル２０４の各チャネルへ自動的に同調し戻される。英語チャネル２０４の適当な英語チャネルにインタフェースユニットを集合的に同調し戻すことは、図２に矢印２０９により示されている。符号２１０から２１２まで、および符号２１４から２１６までの時間間隔中に、図２に破線によりそれぞれ表されたスペイン語チャネル２０２および英語チャネル２０４の未使用の帯域幅を介して便乗データが提供されてもよい。
上述したように、ここに説明された同調は、好ましくは、インタフェースユニットによって内部的に行われる。視聴者はチャネルを変更する必要はなく、かつ、使用者がチャネル変更が行われていることを知ることさえ必要ではない。使用者に関する限り、正規に予定されたプログラム内容および限定されたプログラム内容の両方が、個人的に同調したチャネルにおいて選択した彼らの言語で放送される。
テレビの視聴者がインタフェースユニット１０８を例えば遠隔制御器１１０によって、別のプログラムチャネルに同調するように一旦指示したならば、該インタフェースユニットは、第１に、ここに示されたマッピングテーブルを介してそのチャネルが正規に予定されたテレビ番組を放送しているか、または、その代わりに限定されたプログラムチャネルにマッピングされたかどうかを自動的に決定する。この決定に基づいて、インタフェースユニット１０８は、適当なチャネルに同調する。さらに、特定の時刻に新たなチャネルが限定されたプログラムチャネルにマッピングされた場合には、インタフェースユニット１０８は、当該限定されたプログラムの中断の終わりにそのチャネルに同調し戻され得るように、正規のチャネルのパラメータを決定することになる。
この発明による適正な同調のために、各インタフェースユニットは、常に、現地時間またはグリニッジ平均時のようなウォールクロックまたは実時間を知っていなければならない。しかしながら、当業者であれば、標準時の断片を運ぶＤＶＢ定義の日時テーブル（ＴＤＴ）を使用して簡単に実行できることがわかる。現在のＤＶＢ標準下では、これらの断片は、少なくとも３０秒ごとにインタフェースユニットに送信され、かつ、インタフェースユニットがそれらの正確な現地時間を標準時時計から決定しかつ維持することを可能にしている。もちろん、当業者であれば、インタフェースユニットが、システムオペレータ１００からの電子式の要求のような広告チャネルへの同調が使用される適正な時刻を識別することを可能にする他の方法も理解できる。
マッピングテーブル
この発明によれば、システムオペレータ１００は、衛星１０２を介して各視聴者インタフェースユニット１０８にマッピングテーブルを放送する。これらのマッピングテーブルは、視聴者および広告分類に基づいて、特定の視聴者への特定のチャネルにおいて限定されたデータ内容が送信されるようにマッピングする。一例としての実施形態において、これらのマッピングテーブルは、適当な広告チャネルに予め予定された時刻に自動的に同調するように、適当な視聴者インタフェースユニット１０８に示す広告マッピングテーブルを具備している。このテーブルは、インタフェースユニット１０８によって、好ましくは不揮発性メモリ内に受信されかつ格納され、該テーブルが送信されることが必要な回数を減らすために、かなりの程度の長さの時間、例えば数時間に及ぶべきである。しかしながら、テーブルは、広告マッピングテーブルの送信間に作動中になるインタフェースユニットへ必要な情報を迅速に提供するために、十分な規則正しさをもって送信されなければならない。
この発明の例としての実施形態によれば、広告マッピングテーブルにおける情報は、最初に視聴者の好みのカテゴリー（例えば、年齢またはプログラムカテゴリー）によって分類されてもよい。各視聴者の好みのカテゴリーの範囲内において、情報は、例えば言語の好み（例えば、スペイン語または英語）によって分類されてもよい。各言語の好みの範囲内においては、情報はチャネルによって分類されてもよい。各チャネルに対しては、広告マッピングテーブルは各広告の識別子、その送信される時間、送信されることになる広告チャネルおよび広告の期間からなる数時間の広告情報を含むことになる。当業者であれば、そのような広告マッピングテーブルが、最新のＤＶＢ標準によって定義されていないが、最新のＤＶＢ構文を用いて容易に構成することが可能であることがわかる。
当業者であれば、マッピングテーブルは使用者分類に従って構成されている必要はないこともわかる。このように、この発明の他の例としての実施形態において、使用者分類は、広告のような限定されたデータ内容および正規に予定されたプログラムのような正規のデータ内容の別々の放送サービスを介した放送前に複数の使用者が得ることはできない。この発明のこの実施形態において、マッピングテーブルは、限定されたデータ内容の分類に従ってのみ構成されている。したがって、例えば、マッピングテーブルは、広告が分類されかつそれによってカリフォルニア州サンホセにおけるプライムタイムのテレビに対して予定された場合に、カリフォルニア州のサンホセの全てのインタフェースユニットが、特定の視聴者の好みにかかわらず、適当な時刻において適当な広告チャネルに同調するようにマッピングテーブルによって指示されることになる。
さらに他の例としてのこの発明の実施形態においては、使用者分類のみならず限定された内容の分類も、限定されたデータ内容および正規のデータ内容の別々の放送サービスを介した放送の前には得られない。この発明のこの実施形態において、マッピングテーブルは、例えば、限定されたデータ内容の創作者の要求または限定されたデータ内容の送信のためのタイムスロットの利用率を含む他の基準に従ってシステムオペレータによって構成される。したがって、例えば、システムオペレータが特定のチャネルを介して送信されるべき限定されたデータ内容を有する場合には、該システムオペレータは、そのような送信のために利用可能な特定のタイムスロットを有し、該システムオペレータは、一定のインタフェースユニットに、利用可能な時刻において限定されたデータ内容に切り換えるように指示すべく、マヅピングテーブルを構成することができる。
図３は、主としてＤＶＢ構文を用いて構成された広告マッピングテーブルの例としての実施形態を提供している。図３に示されるように、広告マッピングテーブルは、複数のフィールドを具備し、各フィールドは一定数のビット長を有している。図３に示された各フィールドのビット長は、単に例示であり、当業者であれば、各特定のフィールドについてのビット長は変更されてもよいことは理解できる。
図３に示された広告マッピングテーブルの複数のフィールドは、現在はＤＶＢ標準の一部ではなく、複数のフィールドはＤＶＢ標準の一部であり、広告マッピングテーブルを構築するために使用され得る。さらに、当業者であれば、現在ＤＶＢ標準の一部ではないそれらのフィールドが、最新のＤＶＢ定義フィールドと同様でありかつそこから引き出されるものであることを理解できる。以下は、この発明に係る広告マッピングテーブルにおけるいくつかのフィールドの目録および説明である。図３に開示されているが以下には列挙されていないフィールドの使用は、当業者に周知であり、これ以上の説明は必要ない。
table_id：  ＤＶＢ標準内に割り当てられた特定の値は使用され得ない。したがって、ＤＶＢ標準における「使用者定義」値のみが使用される。
advertisement_preference_id：  各インタフェースユニットに対する広告の好みを識別する。単一の値は、好みのないことを示す。
ISO_659_language_code：広告内容の言語を識別する。
service_id：  輸送ストリーム内の他の任意のサービスから、広告マッピングが定義されたサービスを区別する。
transport_stream_id：  送信システムにおける他の任意のマルチプレックスから、広告マッピングが定義されたサービスを区別する。
original_network_id：  輸送ストリームの送信システムの発信のnetwork_idを識別する。
図３における広告マッピングテーブルの以下に説明されたフィールドは、現在のＤＶＢ標準の一部ではないが、それを用いて容易に実行することができる。
ad_event_id：  所定のad_service_id（後述）に対して単一の広告イベントを識別する。
ad_start_time：  各々がＤＶＢ標準で記述された、標準時、協調された「ＵＴＣ」および調整されたユリウス日（ＪＭＤ）におけるad_eventの開始時刻。
ad_duration：  ＤＶＢ標準のＥＩＴセクションに記述されたような、時、分、秒によるad_eventの期間。
ad_service_id：  広告サービスを、該広告内容を搬送する輸送ストリームの範囲内で他の任意のサービスから区別する。
ad_transport_id：  広告テーブルが情報を提供する広告輸送ストリームを、送信システムにおける他のマルチプレックスから区別する。
ad_original_network_id：  広告サービスを搬送する発信する送信システムのnetwork_idを識別する。
全てのインタフェースユニットは、上述された広告マッピングテーブルを受信するが、記憶されている広告の好みのカテゴリーおよび言語の好みに対応するテーブルの部分のみを記憶するように構成されていてもよい。使用者の選択した好みを有しないインタフェースユニットに対して、デフォルトの好みが適用されてもよい。したがって、例えば、その好みとしてイタリア語のセットを有するインタフェースユニットは、イタリア語に対する広告マッピングを記述しない広告マッピングテーブルの部分を記憶する必要はない。
ここに説明されているように、広告マッピングテーブルが、インタフェースユニットに対して一旦利用可能にされたならば、該インタフェースユニットは、広告チャネルから視聴者に広告を自動的に提供するようにＤＶＢサービスチャネルパラメータが変更される時刻、および、パラメータがその元の値に復旧されるべきときの経過を自動的に追う能力を有する。
この発明の種々の実施形態が説明された。この記載は、例によって提供されたものであって限定ではない。したがって、ここに説明されたように、請求の範囲を逸脱することなく、説明された発明に変更を施してもよいことは、当業者にとって明白なことである。
【図１】
0004234208.tif 000002
【図２】
0004234208.tif 000003
【図３】
0004234208.tif 000004